(57)【特許請求の範囲】
【請求項１】
底板の四周辺に夫々側板を連結し、各側板は夫々補助片により連結して、底板側を小さく、開口側を大きくテーパー状に形成すると共に、前記補助片は折畳し、相互に掛止して側板を立上げ状に保持し、前記側板中一方の一対の側板と、他方の一対側板の外辺に、提手片と掛止片を夫々連設したことを特徴とする携帯用組立箱。
【請求項２】
底板の四周辺に夫々側板を連結し、各側板は夫々補助片により連結して、底板側を小さく、開口側を大きくテーパー状に形成すると共に、前記補助片は折畳し、相互に掛止して側板を立上げ状に保持し、前記一対の対向側板の外辺へ頂板を連結し、該頂板の外辺へ提手片を連設すると共に、他の一対の対向側板の外辺に、前記提手片の掛止凹部と掛止する掛止孔付の掛止片を連設して組立箱とし、該組立箱の上部内側へ、底板の四周辺に側板を直立形成した組立皿を嵌挿し、底板を正方形又は矩形としたことを特徴とする携帯用組立箱。
【請求項３】
底板の四辺に夫々側板を連設し、各側板は、夫々補助片により連結して、底板側を小さく開口側を大きくテーパー状に形成し、前記補助片は折畳し、互に掛止して側板を立上げ状に保持し、前記側板中一対の側板の外辺に頂板を連設し、該頂板の挿入片を、前記側板の切込みへ挿入掛止したことを特徴とする携帯用組立箱。
【請求項４】
底板の四辺に夫々側板を連設し、各側板は、夫々補助片により連結して、底板側を小さく開口側を大きくテーパー状に形成し、前記補助片は折畳し、互に掛止して側板を立上げ状に保持し、前記側板中一対の側板の外辺に頂板を連設し、該頂板の外辺に提手片を連結し、前記頂板に挿入片を連結し、その挿入片を、前記側板の切込みへ挿入掛止したことを特徴とする携帯用組立箱。
【発明の詳細な説明】
【０００１】
【発明の属する技術分野】
この発明は、水密性の組立箱であって、側板を展開して平板状にできることを目的とした携帯用組立箱に関する。
【０００２】
【従来の技術】
従来知られている各種組立箱は、底板に連設した側板の相互が切放されていたり、側板を貼着して保形していた。
【０００３】
【発明により解決しようとする課題】
前記従来の組立箱において、側板相互が切放されている組立箱は、箱を組立てた場合に、内容物の水分が洩れる問題点があった。
【０００４】
また側板に連設した挿入片などを貼着して側板を構成した場合には、通常側板は折畳されており、これを立上げて組立箱とするもので、底板の四周に側板を展開して平板状にすることができない問題点があった。
【０００５】
次に従来の組立箱に、種類の異なる食品などを入れる場合には仕切り板などで区画し、各区画を種別毎に使用したが、各区画は皿状になっていないので、汁（液）が隣接区画内へ流出するおそれがあった。
【０００６】
前記のように、側板を展開できない場合には、底板上へ食品を載置し、頂板を開放しても底板の四周より食品を分け取りすることは困難であった。
【０００７】
【課題を解決する為の手段】
この発明は、底板の四辺に側板を連設すると共に、各側板を夫々補助片により連設し、各側板を組立て掛止し、かつ側板の端縁へ頂板または掛止片を連設することにより、前記従来の問題点を解決したのである。また側板をテーパー状に形成して、底板を最少面積にし、上方へ行く程大きい面積にしたので、適宜の大きさの組立皿を組立箱の上部内側へ安定・保持することができる。
【０００８】
即ちこの発明は、底板の四周辺に夫々側板を連結し、各側板は夫々補助片により連結して、底板側を小さく、開口側を大きくテーパー状に形成すると共に、前記補助片は折畳し、相互に掛止して側板を立上げ状に保持し、前記側板中一方の一対の側板と、他方の一対側板の外辺に、提手片と掛止片を夫々連設したことを特徴とする携帯用組立箱であり、底板の四周辺に夫々側板を連結し、各側板は夫々補助片により連結して、底板側を小さく、開口側を大きくテーパー状に形成すると共に、前記補助片は折畳し、相互に掛止して側板を立上げ状に保持し、前記側板中一方の一対の側板と、他方の一対の側板の外辺に、提手片と掛止片を夫々連設して組立箱とし、該組立箱の上部内側へ、底板の四周辺に側板を直立形成した組立皿を嵌挿したことを特徴とする携帯用組立箱である。
【０００９】
また底板を正方形又は矩形としたものであり、一対の対向側板の外辺へ頂板を連結し、該頂板の外辺へ提手片を連設すると共に、他の一対の対向側板の外辺に、前記提手片の掛止凹部と掛止する掛止孔付の掛止片を連設したものである。
【００１０】
次に他の発明は、底板の四辺に夫々側板を連設し、各側板は、夫々補助片により連結して、底板側を小さく開口側を大きくテーパー状に形成し、前記補助片は折畳し、互に掛止して側板を立上げ状に保持し、前記側板中一対の側板の外辺に頂板を連設し、該頂板の挿入片を、前記側板の切込みへ挿入掛止したことを特徴とする携帯用組立箱であり、底板の四辺に夫々側板を連設し、各側板は、夫々補助片により連結して、底板側を小さく開口側を大きくテーパー状に形成し、前記補助片は折畳し、互に掛止して側板を立上げ状に保持し、前記側板中一対の側板の外辺に頂板を連設し、該頂板の外辺に提手片を連結し、前記頂板に挿入片を連結し、その挿入片を、前記側板の切込みへ挿入掛止したことを特徴とする携帯用組立箱である。
【００１１】
前記底板の形状は、矩形又は正方形などの方形であって、不整形の場合は形が崩れ易く、外形上安定性を欠き易く好ましくない。
【００１２】
また頂板の端縁に提手片を連設し、これと直角の側板上へ掛止片を連設すれば、堅固な提手が形成できるが、提手片の形状に限定はない。従って提手を別製して取付けることもできる。
【００１３】
この発明の組立箱は、例えばピクニック用の食品携帯容器としても使用し得る。また水分の多い食物を収容するには、表面処理した紙板（合成樹脂塗布）又は合成樹脂フィルム又はアルミ箔をラミネートした紙板などを使用すれば、一層好ましい。
【００１４】
この発明の組立箱は、例えば図１の状態で携帯し、内容物を取出す時には図４のように板状に展開できるので、内容物を四周何れの方向からでも容易に取ることができる。また側板をテーパー状にしたので、図２のように組立皿を嵌入した場合にも適度の高さで堅固に保持することができる。
【００１５】
【発明の実施の形態】
この発明は底板の四周に側板をテーバー状に立設し、各側板は補助片により連設すると共に、一方の一対の側板に頂板を連設し、該頂板に提手片を連設し、他の一対の側板に提手片との掛止片を連設し、かつ各側板は組立て掛止して組立箱を形成した。
【００１６】
前記組立箱の上部内側へ適宜深さの組立皿を嵌入固定したので、接触を好まない食品などを分別携帯することができる。
【００１７】
前記組立箱は提手片を設けたが、提手片なしの場合もできる（図９）。前記底板は正方形又は矩形であり、材質は通常の厚紙（ボール紙）及び加工紙、合成紙、ラミネート紙などが考えられる。
【００１８】
【実施例１】
この発明の実施例を図１、２、３、４、５に基づいて説明する。この発明の組立箱２０を組立てる板体は、図４において正方形の底板１の四辺に折目線３、３を介して側板２、２ａ、２ｂ、２ｃを連設し、側板２、２ｂに折目線３ａ、３ａを介して頂板４、４ａを連設し、該頂板４、４ａに折目線３ｂ、３ｂを介して提手片５、５ａを連設する。前記側板２ａ、２ｃに折目線３ａ、３ａを介して掛止片６、６ａを連設し、前記側板２、２ａ、２ｂ、２ｃ間は、折目線８、８、８ａ、８ａを介して補助片７、７ａ、７ｂ、７ｃ、７ｄ、７ｅ、７ｆ、７ｇを介装してある。
【００１９】
前記補助片７ａ、７ｃ、７ｅ、７ｇには折目線８ｂを介して挿入片９、９ａ、９ｂ、９ｃを連設し、該挿入片９、９ａ、９ｂ、９ｃは何れも挿入端を突設し、挿入片９、９ｂには半円状凸部（装飾用）が設けてある。図中１０、１０ａは提手片５、５ａに設けた指掛け孔、１１、１１ａは同じく掛止溝、１２、１２ａは掛止片６、６ａに設けた掛止孔である。図中２１、２１ａは指掛け孔１０を設けた際の残片、２２、２２ａは掛止孔１２、１２ａの切込み、２３、２３ａは装飾凸部、２４、２４ａ残片である。
【００２０】
前記実施例の組立箱２０は、底板１の四辺に連設した側板２、２ａ、２ｂ、２ｃを折目線３、３で直角方向に立ち上らせると共に、補助片７、７ａ、７ｂ、７ｃ、７ｄ、７ｅ、７ｆ、７ｇを折目線８、８ａで折って重ねると共に、各側板２ａ、２ｃ側へ屈曲し、ついで挿入片９、９ａ、９ｂ、９ｃを対向する補助片の半折部へ挿入して側板２、２ａ、２ｂ、２ｃを固定した後、頂板４、４ａを折目線３ａから水平に折り曲げ、ついで折目線３ｂから提手片５、５ａをほぼ直角に折り曲げて両提手片５、５ａを合せて一体化し、前記側板２ａ、２ｃに連設した掛止片６、６ａを折目線３ａ、３ａから直角に折り曲げて、その掛止孔１２、１２ａを、前記提手片５、５ａの掛止溝へ掛止させて完成する。
【００２１】
次に組立皿１３は、正方形の底板１４の四辺に折目線１５、１５を介して側板１６、１６ａ、１６ｂ、１６ｃを連設すると共に、各１６、１６ａ、１６ｂ、１６ｃの間に折目線１７、１７ａを介して補助片１８、１８ａ、１８ｂ、１８ｃ、１８ｄ、１８ｅ、１８ｆ、１８ｇを連設し、前記側板１６、１６ｂへ折目線１５ａを介して摘み片１９、１９ａを連設した板体を組立て形成する。
【００２２】
前記組立箱２０へ組立皿１３を入れて、前記順序に組立てるのであるが、接着剤などは一切使用せず総て組立てであるから、ほぼ逆の順序で展開することができる。
【００２３】
図６の実施例の組立箱２０ａは、底板を矩形にしたもので、寸法以外は実施例１と同様につき、同一部分に同一符号を付し、詳細な説明は省略した。
【００２４】
次に図７、８は、図１の実施例中装飾凸部２３、２３ａを欠如した組立箱２０ｂであって、その他の構造は図１とほぼ同一につき、同一符号を付し、説明は省略した。
【００２５】
【実施例２】
この発明の他の実施例を図９、１０、１１、１２、１３について説明する。この発明の組立箱２０ｃを組立てる板体は、図１２において、矩形の底板２５の四辺に折目線２６、２６を介して側板２７、２７ａ、２７ｂ、２７ｃを連設し、一対の側板２７、２７ｂの外辺に折目線２８、２８を介して頂板２９、２９ａを連設する。前記各側板は相互に折目線３１、３２を介して補助片３０、３０ａ、３０ｂ、３０ｃ、３０ｄ、３０ｅ、３０ｆ、３０ｇを連設し、前記頂板２９、２９ａには、折目線３３、３３を介して挿入片３４、３４ａ、３４ｂ、３４ｃを連設すると共に、補助片３０、３０ｃ、３０ｄ、３０ｇには折目線３５、３５を介して挿入片３６、３６ａ、３６ｂ、３６ｃを連設し、前記側板２７ａ、２７ｃには、前記各挿入片３４、３４ａ、３４ｂ、３４ｃと、挿入片３６、３６ａ、３６ｂ、３６ｃを挿入する切込み３７、３７ａ、３８、３８ａを夫々平面三角状に穿設してある。
【００２６】
次に組立皿３９を組立てる板体は、図１３のよに底板４０の四辺に折目線４１、４１を介して側板４２、４２ａ、４２ｂ、４２ｃが連設され、側板４２、４２ａ、４２ｂ、４２ｃの外辺には、折目線４１ａ、４１ａを介して、摘み片４３、４３ａが突設してある。前記組立皿３９は、底板４０に対し、側板４２、４２ａ、４２ｂ、４２ｃを直角に立上げて構成（図１０）してある。従って組立箱２０ｃ内へ嵌挿することにより保形されるが、補助片はないので水密性を保つことはできない。
【００２７】
前記実施例において、組立箱２０ｃは、底板２５の四辺を折目線３１、３１に沿ってほぼ直角に立上げ、各補助片３０、３０ａ、３０ｂ、３０ｃ、３０ｄ、３０ｅ、３０ｆ、３０ｇを夫々折目線に沿って折畳すると共に、各補助片３０、３０ｃ、３０ｄ、３０ｇに連設した挿入片３６、３６ａ、３６ｂ、３６ｃを、各側板２７ａ、２７ｃに設けた切込み３７、３７ａに挿入し（図１０）、かつ頂板２９、２９ａに設けた挿入片３４、３４ａ、３４ｂ、３４ｃを、各側板２７ａ、２７ｃに設けた切込み３８、３８ａに挿入することにより、組立を完了する（図９）。
【００２８】
前記において頂板２９、２９ａを組立てる前に、前記組立皿３９を収容入れて、この発明の組立箱２０ｃに内容物を収容するには、図１０のように頂板２９、２９ａを開いた状態で適量の内容物を箱内に入れ、ついで組立皿３９を箱内に収容設置して、組立皿２９に内容物を入れ然る後、頂板２９、２９ａを閉める（図９、１０）。
【００２９】
前記組立箱２０ｃから内容物を取出すには、先ず頂板２９、２９ａを開き、ついで組立皿３９を取出した後、補助片３０、３０ａ、３０ｂ、３０ｃ、３０ｄ、３０ｅ、３０ｆ、３０ｇの掛止を外し、図１２のように側板を展開するのが最も普通である。
【００３０】
前記実施例は提手片はないけれども、直方体状であるから、そのまま持ち運ぶのに支障はない。また提げる必要があれば袋に入れる。
【００３１】
次に図１４、１５の実施例は、前記実施例に提手片をつけたものに相当するので、同一部材には同一符号をつけた。即ち矩形の底板２５の四辺に折目線２６、２６を介して側板２７、２７ａ、２７ｂ、２７ｃを連設し、一対の側板２７、２７ｂの外辺に折目線２８、２８を介して頂板２９、２９ａを連設する。前記各側板は相互に折目線３１、３２を介して補助片３０、３０ａ、３０ｂ、３０ｃ、３０ｄ、３０ｅ、３０ｆ、３０ｇを連設し、前記頂板２９、２９ａには、折目線３３、３３を介して挿入片３４、３４ａ、３４ｂ、３４ｃを連設すると共に、補助片３０、３０ｃ、３０ｄ、３０ｇには折目線３５、３５を介して挿入片３６、３６ａ、３６ｂ、３６ｃを連設し、前記側板２７ａ、２７ｃには、前記各挿入片３４、３４ａ、３４ｂ、３４ｃと、挿入片３６、３６ａ、３６ｂ、３６ｃを挿入する切込み３７、３７ａ、３８、３８ａを夫々平面三角状に穿設してある。
【００３２】
前記頂板２９、２９ａへ、折目線４４、４４を介して提手片４５、４５ａを連設し、提手片４５、４５ａに指掛け孔４６、４６ａを打抜いたもので、図中４７、４７ａは残片である。
【００３３】
前記実施例の組立箱２０ｄの組立ては、前記組立箱２０ｃの場合と同一に付、その説明を省略する。
【００３４】
【発明の効果】
この発明は、方形底板の四辺にテーパー状の側板を立設したので、組底箱の底面積は口部面積より小さくなり、適宜大きさの組立皿を嵌挿保持できる効果がある。
【００３５】
また各側板間に補助片を介装したので、水密を保つことができる効果がある。
【００３６】
更に各側板は、組立て掛止してあるので、組立箱は、内容物を収容したまま、平板状に展開できるので、組立箱が比較的深い場合であっても、内容物を容易に取出すことができる効果がある。
【図面の簡単な説明】
【図１】この発明の実施例の斜視図。
【図２】同じく開口し、組立皿を取出した状態の説明書。
【図３】同じく組立中間の斜視図。
【図４】同じく箱本体の縮小展開図。
【図５】同じく皿本体の縮小展開図。
【図６】同じく矩形底板を有する実施例の斜視図。
【図７】同じく側面に飾片のない実施例の斜視図。
【図８】同じく図７の箱本体の縮小展開図。
【図９】同じく他の実施例の斜視図。
【図１０】同じく開口し、組立皿を取出した状態の説明図。
【図１１】同じく組立て中間状態の斜視図。
【図１２】同じく箱本体の縮小展開図。
【図１３】同じく皿本体の縮小展開図。
【図１４】同じく図９の箱に提手片を設けた実施例の斜視図。
【図１５】同じく縮小展開図。
【符号の説明】
１  底板
２、２ａ、２ｂ、２ｃ  側板
３、３ａ、３ｂ、８、８ａ  折目線
４、４ａ  頂板
５、５ａ  提手片
６、６ａ  掛止片
７、７ａ、７ｂ、７ｃ、７ｄ、７ｅ、７ｆ、７ｇ  補助片
９、９ａ、９ｂ、９ｃ  挿入片
１０、１０ａ  指掛け孔
１１、１１ａ  掛止溝
１２、１２ａ  掛止孔
１３  組立皿
１４  底板
１５、１７、１７ａ  折目線
１８、１８ａ、１８ｂ、１８ｃ、１８ｄ、１８ｅ、１８ｆ、１８ｇ  補助片
１９、１９ａ  摘み片
２０、２０ａ、２０ｂ、２０ｃ  組立箱
２１、２１ａ、２４、２４ａ  残片
２２、２２ａ  切込み
２３、２３ａ  装飾凸部である。
２５  底板
２６、２８、３１、３２、３３、３５  折目線
２７、２７ａ、２７ｂ、２７ｃ  側板
２９、２９ａ  頂板
３０、３０ａ、３０ｂ、３０ｃ、３０ｄ、３０ｅ、３０ｆ、３０ｇ  補助片
３４、３４ａ、３４ｂ、３４ｃ、３６、３６ａ、３６ｂ、３６ｃ  挿入片
３７、３７ａ、３８、３８ａ  切込み
３９  組立皿
４０  底板
４１、４４  折目線
４２、４２ａ、４２ｂ、４２ｃ  側板
４３  摘み片
４５、４５ａ  提手片
４６、４６ａ  指掛け孔
４７、４７ａ  残片
【図１】
0004277095.tif 000002
【図２】
0004277095.tif 000003
【図３】
0004277095.tif 000004
【図４】
0004277095.tif 000005
【図５】
0004277095.tif 000006
【図６】
0004277095.tif 000007
【図７】
0004277095.tif 000008
【図８】
0004277095.tif 000009
【図９】
0004277095.tif 000010
【図１０】
0004277095.tif 000011
【図１１】
0004277095.tif 000012
【図１２】
0004277095.tif 000013
【図１３】
0004277095.tif 000014
【図１４】
0004277095.tif 000015
【図１５】
0004277095.tif 000016